(57)【要約】      （修正有）【課題】電子メールの宛先を、容易に一括して宛先（Ｔｏ、Ｃｃ、Ｂｃｃ）の何れかに設定可能とする。【解決手段】グループ分けされたメールアドレスを記憶したメールアドレス記憶部を備えており、ユーザが宛先のグループを選択する際のタップ又はクリックの回数で、Ｔｏ、Ｃｃ、Ｂｃｃの何れかの欄に、指定されたメールアドレスグループを入力する。【選択図】図１８
2015181006.tif 000002
【特許請求の範囲】
【請求項１】
グループ分けしたメールアドレスを記憶するメールアドレス記憶手段と、
ユーザが入力した電子メールを取得するメール取得手段と、
前記電子メールの宛先のグループを示す、前記ユーザが入力した宛先グループ情報を取得する宛先取得手段と、
前記ユーザが前記宛先グループ情報を入力した際のクリックまたはタップの回数を判定する判定手段と、
前記クリックまたはタップの回数に基づいて、前記宛先のグループに含まれるメールアドレスをＴｏ、ＣｃおよびＢｃｃのいずれかに設定する設定手段と、
を備えることを特徴とする情報処理装置。
【請求項２】
前記判定手段は、前記Ｔｏ、ＣｃおよびＢｃｃの設定にそれぞれ対応する前記クリックまたはタップの回数を、前記ユーザのこれらの設定の使用頻度によって変更することを特徴とする請求項１に記載の情報処理装置。
【請求項３】
グループ分けしたメールアドレスを記憶するメールアドレス記憶手段を備える、ユーザがメールを送受信する情報処理装置が実行する情報処理方法であって、
ユーザが入力した電子メールを取得するメール取得ステップと、
前記電子メールの宛先のグループを示す、前記ユーザが入力した宛先グループ情報を取得する宛先取得ステップと、
前記ユーザが前記宛先グループ情報を入力した際のクリックまたはタップの回数を判定する判定ステップと、
前記クリックまたはタップの回数に基づいて、前記宛先のグループに含まれるメールアドレスをＴｏ、ＣｃおよびＢｃｃのいずれかに設定する設定ステップと、
を備えることを特徴とする情報処理方法。
【請求項４】
コンピュータを、
グループ分けしたメールアドレスを記憶するメールアドレス記憶手段、
ユーザが入力した電子メールを取得するメール取得手段、
前記電子メールの宛先のグループを示す、前記ユーザが入力した宛先グループ情報を取得する宛先取得手段、
前記ユーザが前記宛先グループ情報を入力した際のクリックまたはタップの回数を判定する判定手段、
前記クリックまたはタップの回数に基づいて、前記宛先のグループに含まれるメールアドレスをＴｏ、ＣｃおよびＢｃｃのいずれかに設定する設定手段、
として機能させることを特徴とするプログラム。
【発明の詳細な説明】
【技術分野】
【０００１】
本発明は、情報処理装置、情報処理方法およびプログラムに関する。
【背景技術】
【０００２】
携帯電話やＰＣといった情報処理装置には、ユーザがスケジュールを登録・参照する機能を備えているものがある。また、ユーザがネットワークを介して情報処理装置（サーバ）にアクセスして、スケジュールを登録・参照するシステムもある。一方、ユーザが電子メールを送受信する機能を備えている携帯電話やＰＣといった情報処理装置がある。また、ユーザがネットワークを介して情報処理装置（サーバ）にアクセスして、電子メールを送受信するシステムもある。
【０００３】
特許文献１には、任意の複数の日付を選択し、選択した日付のスケジュールを抽出して表示するスケジュール管理システムが開示されている。特許文献２には、指定した週の指定した曜日に行事を登録するスケジュール管理装置が開示されている。特許文献３には、検索語でスケジュールを検索するスケジュール検索装置が開示されている。特許文献４には、指定した日付に繰り返しのスケジュールを登録するスケジュール管理装置が開示されている。特許文献５には、カレンダー形式で記憶されている、ユーザが行った操作、発生したイベント、予定等に対応した処理の情報を、ユーザの指定した処理の種類で抽出する情報処理装置が開示されている。
【０００４】
特許文献６〜１１には、メールアドレスをグループ分けし、ユーザがグループを選択することで、該グループ内の全員のメールアドレスを宛先に設定する技術が開示されている。
【先行技術文献】
【特許文献】
【０００５】
【特許文献１】特開２００１−１４８８３４号公報
【特許文献２】特開平０８−０７７２５３号公報
【特許文献３】特開２０１０−０９７２９８号公報
【特許文献４】特開２００３−２８８３３０号公報
【特許文献５】特開２００５−２７５８３３号公報
【特許文献６】特開２００４−３１０５９９号公報
【特許文献７】特開平０７−１８３９１０号公報
【特許文献８】特開２００２−２４４９７２号公報
【特許文献９】特開２００１−１５６８２９号公報
【特許文献１０】特開平０６−１４９６９１号公報
【特許文献１１】特開２００７−２４９８４７号公報
【発明の概要】
【発明が解決しようとする課題】
【０００６】
情報処理装置のスケジュールを登録・参照する機能における一つの課題として、カレンダー形式の場合、スケジュールを表示および登録する画面は週や月単位の連続した日付でユーザに提示するため、所定の条件を満たす日付をユーザが目視で探す必要があった。また、関連する技術では、所定の条件を満たすスケジュールを検索したり、所定の条件でスケジュールを登録したりすることはできるが、所定の条件を満たす日付をまとめて参照することはできなかった。
【０００７】
一方、関連する技術のように、メールアドレスをグループ分けし、ユーザがグループを選択することで、該グループ内の全員のメールアドレスを宛先に設定する機能においては、電子メールの宛先の設定（Ｔｏ、Ｃｃ、Ｂｃｃ）は、ユーザがあらかじめボタンなどをクリック（またはタップ）して設定し、その後でグループを選択する必要があった。
【０００８】
本発明は、このような問題に鑑みてなされたものであり、スケジュール情報を日付に対応付けて記憶したカレンダーについて、所定の条件を満たす日付を抽出し、抽出した日付をまとめてユーザに提示できる情報処理装置、情報処理方法およびプログラムを提供することを目的とする。また、ユーザが電子メールに入力した宛先のグループに含まれる各メールアドレスを容易に一括してＴｏ、Ｃｃ、Ｂｃｃのいずれかに設定できる情報処理装置、情報処理方法およびプログラムを提供することを目的とする。
【課題を解決するための手段】
【０００９】
本発明の第１の観点に係る情報処理装置は、
日付を示す日付情報と事象を示す事象情報とを対応付けたスケジュール情報を取得するスケジュール取得手段と、
カレンダーの前記日付情報が示す日付に対応付けて、前記スケジュール情報を記憶するスケジュール記憶手段と、
ユーザの入力した日付の条件および／または事象の条件を含む抽出条件を取得する条件取得手段と、
前記抽出条件を満たす前記カレンダーの日付を抽出する抽出手段と、
前記抽出した日付に対応する前記事象情報がある場合には、前記抽出した日付を、該日付に対応する前記事象情報とともに表示する表示情報を生成し、前記抽出した日付に対応する前記事象情報がない場合には、前記抽出した日付のみを表示する表示情報を生成し、前記ユーザに提示する提示手段と、
を備えることを特徴とする。
【００１０】
前記抽出条件は、所定の曜日を抽出する条件を含み、
前記抽出手段は、前記所定の曜日の前記カレンダーの日付を抽出してもよい。
【００１１】
前記抽出条件は、所定の間隔ごとの日付を抽出する条件を含み、
前記抽出手段は、前記所定の間隔ごとの前記カレンダーの日付を抽出してもよい。
【００１２】
前記抽出条件は、所定のテキストを含む前記スケジュール情報を抽出するテキスト抽出条件を含み、
前記抽出手段は、前記テキスト抽出条件を満たす前記スケジュール情報に対応する前記カレンダーの日付を抽出してもよい。
【００１３】
前記抽出条件は、前記スケジュール情報が対応付けられていない日付を抽出する条件を含み、
前記抽出手段は、前記スケジュール情報が対応付けられていない前記カレンダーの日付を抽出してもよい。
【００１４】
前記スケジュール情報は時間帯を示す時間帯情報を含み、
前記抽出条件は、所定の時間帯と重複する前記時間帯情報を含む前記スケジュール情報が対応付けられていない日付を抽出する条件を含み、
前記抽出手段は、前記所定の時間帯と重複する前記時間帯情報を含む前記スケジュール情報が対応付けられていない前記カレンダーの日付を抽出してもよい。
【００１５】
前記事象情報は、事象の種類を示す種類情報、時間帯を示す時間帯情報、相手を示す人物情報および場所を示す場所情報を含み、
前記ユーザの選択した日付を取得する選択日付取得手段をさらに備え、
前記提示手段は、前記カレンダーの前記ユーザの選択した日付に対応する前記事象情報に含まれる前記種類情報、前記時間帯情報、前記人物情報および前記場所情報を表示する表示情報を生成し、前記ユーザに提示してもよい。
【００１６】
前記事象情報は、事象の種類を示す種類情報、時間帯を示す時間帯情報、相手を示す人物情報および場所を示す場所情報を含み、
前記ユーザの指し示した日付を取得する指示日付取得手段をさらに備え、
前記提示手段は、前記カレンダーの前記ユーザの指し示した日付の表示の近傍に、前記ユーザの指し示した日付に対応する前記事象情報に含まれる前記種類情報、前記時間帯情報、前記人物情報および前記場所情報を付加表示する表示情報を生成し、前記ユーザに提示してもよい。
【００１７】
本発明の第２の観点に係る情報処理装置は、
グループ分けしたメールアドレスを記憶するメールアドレス記憶手段と、
ユーザが入力した電子メールを取得するメール取得手段と、
前記電子メールの宛先のグループを示す、前記ユーザが入力した宛先グループ情報を取得する宛先取得手段と、
前記ユーザが前記宛先グループ情報を入力した際のクリックまたはタップの回数を判定する判定手段と、
前記クリックまたはタップの回数に基づいて、前記宛先のグループに含まれるメールアドレスをＴｏ、ＣｃおよびＢｃｃのいずれかに設定する設定手段と、
を備えることを特徴とする。
【００１８】
前記判定手段は、前記Ｔｏ、ＣｃおよびＢｃｃの設定にそれぞれ対応する前記クリックまたはタップの回数を、前記ユーザのこれらの設定の使用頻度によって変更してもよい。
【００１９】
本発明の第３の観点に係る情報処理方法は、
ユーザがスケジュールを登録・参照する情報処理装置が実行する情報処理方法であって、
日付を示す日付情報と事象を示す事象情報とを対応付けたスケジュール情報を取得するスケジュール取得ステップと、
カレンダーの前記日付情報が示す日付に対応付けて、前記スケジュール情報を記憶するスケジュール記憶ステップと、
ユーザの入力した日付の条件および／または事象の条件を含む抽出条件を取得する条件取得ステップと、
前記抽出条件を満たす前記カレンダーの日付を抽出する抽出ステップと、
前記抽出した日付に対応する前記事象情報がある場合には、前記抽出した日付を、該日付に対応する前記事象情報とともに表示する表示情報を生成し、前記抽出した日付に対応する前記事象情報がない場合には、前記抽出した日付のみを表示する表示情報を生成し、前記ユーザに提示する提示ステップと、
を備えることを特徴とする。
【００２０】
本発明の第４の観点に係る情報処理方法は、
グループ分けしたメールアドレスを記憶するメールアドレス記憶手段を備える、ユーザがメールを送受信する情報処理装置が実行する情報処理方法であって、
ユーザが入力した電子メールを取得するメール取得ステップと、
前記電子メールの宛先のグループを示す、前記ユーザが入力した宛先グループ情報を取得する宛先取得ステップと、
前記ユーザが前記宛先グループ情報を入力した際のクリックまたはタップの回数を判定する判定ステップと、
前記クリックまたはタップの回数に基づいて、前記宛先のグループに含まれるメールアドレスをＴｏ、ＣｃおよびＢｃｃのいずれかに設定する設定ステップと、
を備えることを特徴とする。
【００２１】
本発明の第５の観点に係るプログラムは、コンピュータを、
日付を示す日付情報と事象を示す事象情報とを対応付けたスケジュール情報を取得するスケジュール取得手段、
カレンダーの前記日付情報が示す日付に対応付けて、前記スケジュール情報を記憶するスケジュール記憶手段、
ユーザの入力した日付の条件および／または事象の条件を含む抽出条件を取得する条件取得手段、
前記抽出条件を満たす前記カレンダーの日付を抽出する抽出手段、
前記抽出した日付に対応する前記事象情報がある場合には、前記抽出した日付を、該日付に対応する前記事象情報とともに表示する表示情報を生成し、前記抽出した日付に対応する前記事象情報がない場合には、前記抽出した日付のみを表示する表示情報を生成し、前記ユーザに提示する提示手段、
として機能させることを特徴とする。
【００２２】
本発明の第６の観点に係るプログラムは、コンピュータを、
グループ分けしたメールアドレスを記憶するメールアドレス記憶手段、
ユーザが入力した電子メールを取得するメール取得手段、
前記電子メールの宛先のグループを示す、前記ユーザが入力した宛先グループ情報を取得する宛先取得手段、
前記ユーザが前記宛先グループ情報を入力した際のクリックまたはタップの回数を判定する判定手段、
前記クリックまたはタップの回数に基づいて、前記宛先のグループに含まれるメールアドレスをＴｏ、ＣｃおよびＢｃｃのいずれかに設定する設定手段、
として機能させることを特徴とする。
【発明の効果】
【００２３】
本発明によれば、スケジュール情報を日付に対応付けて記憶したカレンダーについて、所定の条件を満たす日付を抽出してまとめてユーザに提示できる。また、ユーザが電子メールに入力した宛先のグループに含まれる各メールアドレスを容易に一括してＴｏ、Ｃｃ、Ｂｃｃのいずれかに設定できる。
【図面の簡単な説明】
【００２４】
【図１】本発明の実施の形態１に係る情報処理システムの構成例を示すブロック図である。
【図２】実施の形態１に係るカレンダーに対応付けたスケジュール情報の一例を示す図である。
【図３】実施の形態１に係るカレンダーの表示例を示す図である。
【図４】実施の形態１に係る所定の曜日で抽出した日付の表示例を示す図である。
【図５】実施の形態１に係る所定の間隔で抽出した日付の表示例を示す図である。
【図６】実施の形態１に係る所定のテキストを含むスケジュール情報が対応付けられた日付を抽出した表示例を示す図である。
【図７】実施の形態１に係るスケジュール情報が対応付けられていない日付を抽出した表示例を示す図である。
【図８】実施の形態１に係る所定の時間帯と重複するスケジュール情報が対応付けられていない日付を抽出した表示例を示す図である。
【図９】実施の形態１に係るスケジュール抽出処理の動作の一例を示すフローチャートである。
【図１０】本発明の実施の形態２に係る情報処理装置の構成例を示すブロック図である。
【図１１】実施の形態２に係るスケジュール情報の１日表示の一例を示す図である。
【図１２】実施の形態２に係るスケジュール情報の付加表示の一例を示す図である。
【図１３】実施の形態２に係るスケジュール抽出処理の動作の一例を示すフローチャートである。
【図１４】本発明の実施の形態３に係る情報処理システムの構成例を示すブロック図である。
【図１５】実施の形態３に係る電子メールの一例を示す図である。
【図１６】実施の形態３に係るアドレス帳の表示例を示す図である。
【図１７】実施の形態３に係る宛先のグループのメールアドレスを入力した電子メールの一例を示す図である。
【図１８】実施の形態３に係る宛先入力処理の動作の一例を示すフローチャートである。
【図１９】本発明に係る情報処理装置のハードウェア構成の一例を示す図である。
【発明を実施するための形態】
【００２５】
本発明において、スケジュール情報とは、日付を示す日付情報と事象を示す事象情報とを対応付けた情報である。事象には、過去に発生した過去事象と、将来発生する予定事象とがある。事象情報は、事象の種類を示す種類情報、相手を示す人物情報および場所を示す場所情報のうち少なくとも１つを含む。また、スケジュール情報は、時間帯を示す時間帯情報をさらに含んでもよい。
【００２６】
以下に、発明を実施するための形態について図面を参照して詳細に説明する。なお図中、同一または相当部分には同じ符号を付す。
【００２７】
（実施の形態１）
図１は、本発明の実施の形態１に係る情報処理システムの構成例を示すブロック図である。情報処理システム１００は、ネットワーク８で接続される情報処理装置１と端末６とで構成される。情報処理装置１は、入力情報取得部１１、スケジュール記憶部１２、日付抽出部１３、表示情報生成部１４および表示情報送信部１５を備える。なお、端末６は代表して１台で図示するが、複数の端末６をネットワーク８に接続してもよい。
【００２８】
入力情報受信部１１は、ユーザが端末６に入力したスケジュール情報を端末６から受信し、スケジュール記憶部１２に送る。また、入力情報受信部１１は、ユーザが端末６に入力したカレンダーの日付を抽出するための所定の条件（以下、抽出条件と呼ぶ）を受信し、日付抽出得１３に送る。
【００２９】
スケジュール記憶部１２は、カレンダーを記憶している。スケジュール記憶部１２は、入力情報受信部１１から受け取ったスケジュール情報の日付情報を参照し、カレンダーの該日付に対応付けて記憶する。
【００３０】
日付抽出部１３は、入力情報受信部１１から受け取った抽出条件を満たす日付をスケジュール記憶部１２が記憶するカレンダーの中から抽出する。日付抽出部１３は、抽出した日付を、その日付に対応付けられたスケジュールとともに、表示情報生成部１４に送る。
【００３１】
表示情報生成部１４は、日付抽出部１３から受け取ったカレンダーの日付と、その日付に対応する事象情報とを表示する表示情報を生成し、表示情報送信部１５に送る。
【００３２】
表示情報送信部１５は、表示情報生成部１４から受け取った表示情報を端末６に送信する。
【００３３】
端末６は、ＰＣやＰＤＡ、携帯電話などのネットワークに接続可能な通信端末で構成されている。端末６は、ユーザが情報処理装置１に対し、スケジュールの参照や登録を行うための端末である。端末６は、ユーザが入力した入力情報を情報処理装置１に送信し、情報処理装置１から受信した表示情報を表示する。
【００３４】
図２は、実施の形態１に係るカレンダーに対応付けたスケジュール情報の一例を示す図である。図２は、ある１０月のカレンダーに対応付けたスケジュール情報の例を示す。カレンダーは、日付と曜日で構成される。図２の例では、スケジュール情報は、日付を示す日付情報と、時間帯を示す時間帯情報と、事象の種類を示す種類情報と、相手を示す相手情報と、場所を示す場所情報とで構成される。スケジュール記憶部１２は、日付情報に対応するカレンダーの日付に該スケジュール情報を対応付けて記憶する。たとえば、１０月１日（金曜日）には、日付情報「１０月１日」、時間帯情報「１５：００〜１７：００」、相手情報「なし」、場所情報「第２会議室」のスケジュール情報が記憶されている。
【００３５】
事象の種類を示す種類情報は、ユーザがテキスト入力してもよいし、あらかじめ設定された種類情報からユーザが選択してもよい。また、スケジュール情報は、日付情報、時間帯情報、種類情報、相手情報および場所情報に限らず、スケジュールの詳細（たとえば、会議の議題や、打ち合わせの内容、映画のタイトルなど）を示す備考情報など他の情報を含んでもよい。
【００３６】
図３は、実施の形態１に係るカレンダーの表示例を示す図である。図３は、図２に示す１０月のカレンダーを対応するスケジュール情報とともに表示する表示情報の例である。図３の例では、カレンダーの各日付には、該日付に対応付けられたスケジュール情報に含まれる時間帯情報の開始時刻と種類情報とが表示されている。１０月４日（月曜日）〜１０月６日（水曜日）のように、スケジュール情報に時間帯情報を含まない場合は、種類情報のみを表示する。たとえば、１日の枠に表示できるスケジュール情報が３つまでの場合、１０月３０日（土曜日）のように、１日に３つ以上のスケジュール情報が対応付けられている日付には、開始時刻が早い順番に３つのスケジュール情報の時間帯情報の開始時刻と種類情報を表示し、最後尾に「・・・」を表示する。
【００３７】
また、ユーザは、カレンダーの日付の文字をクリックすると、該日付にスケジュール情報を入力することができる。ユーザが端末６に表示された表示情報の日付の文字をクリックして新たに事象情報を入力すると、端末６は、入力された事象情報に入力された日付の日付情報を対応付けてスケジュール情報として情報処理装置１に送信する。なお、スケジュール情報の入力方法は、カレンダーの日付の文字をクリックする方法だけでなく、別のアイコンを表示させてクリックする方法や、日付の枠内をクリックする方法など、他の方法でもよい。
【００３８】
図４は、実施の形態１に係る所定の曜日で抽出した日付の表示例を示す図である。図４は、図２に示す１０月のカレンダーの月曜日の日付のみを抽出して対応するスケジュール情報とともにまとめて表示した表示情報である。
【００３９】
ユーザが端末６に抽出条件として、たとえば月曜日の日付を抽出する条件を示すコマンド「月曜日」を入力すると、情報処理装置１の入力情報受信部１１は、端末６から抽出条件「月曜日」を示す情報を受信する。日付抽出部１３は、抽出条件「月曜日」に従って、スケジュール記憶部１２が記憶している１０月のカレンダーの曜日を参照し、月曜日のみのカレンダーの日付を抽出する。ここでは、１０月４日、１１日、１８日、２５日が抽出される。日付抽出部１３は、抽出した日付と該日付に対応付けられたスケジュール情報とを表示情報生成部１４に送る。表示情報生成部１４は、日付抽出部１３から受け取った月曜日のみのカレンダーの日付と、その日付に対応付けられたスケジュール情報とを表示する表示情報を生成し、表示情報送信部１５に送る。表示情報送信部１５は、表示情報生成部１４から受け取った表示情報を端末６に送信する。端末６は、受信した表示情報を表示する。
【００４０】
このように、ユーザが所定の曜日に予定を入れたいと思った場合、その曜日のみのスケジュール情報をまとめて参照することができ、容易に把握することができる。
【００４１】
図５は、実施の形態１に係る所定の間隔で抽出した日付の表示例を示す図である。図５は、図２に示す１０月のカレンダーの５日間隔の日付のみを抽出して対応するスケジュール情報とともにまとめて表示した表示情報である。
【００４２】
ユーザが端末６に抽出条件として、たとえば５日間隔ごとの日付を抽出する条件を示すコマンド「５日間隔」を入力すると、情報処理装置１の入力情報受信部１１は、端末６から抽出条件「５日間隔」を示す情報を受信する。日付抽出部１３は、抽出条件「５日間隔」に従って、スケジュール記憶部１２が記憶している１０月のカレンダーの日付を参照し、１日から５日間隔のカレンダーの日付を抽出する。ここでは、１０月１日、６日、１１日、１６日、２１日、２６日、３１日が抽出される。日付抽出部１３は、抽出した日付と該日付に対応付けられたスケジュール情報とを表示情報生成部１４に送る。表示情報生成部１４は、日付抽出部１３から受け取った１日から５日間隔のカレンダーの日付と、その日付に対応付けられたスケジュール情報とを表示する表示情報を生成し、表示情報送信部１５に送る。表示情報送信部１５は、表示情報生成部１４から受け取った表示情報を端末６に送信する。端末６は、受信した表示情報を表示する。
【００４３】
このように、ユーザが所定の間隔で予定を入れたいと思った場合、その所定の間隔のスケジュール情報をまとめて参照することができ、容易に把握することができる。
【００４４】
図６は、実施の形態１に係る所定のテキストを含むスケジュール情報が対応付けられた日付を抽出した表示例を示す図である。図６は、図２に示す１０月のカレンダーの「会議」のテキストを含むスケジュール情報が対応付けられた日付のみを抽出して対応するスケジュール情報とともにまとめて表示した表示情報である。
【００４５】
なお、図６の例では、所定のテキストを含むスケジュール情報が対応付けられた日付を抽出したが、所定の種類情報を含むスケジュール情報が対応付けられた日付を抽出してもよい。
【００４６】
ユーザが端末６に抽出条件として、たとえばを「会議」というテキストを抽出するテキスト抽出条件を示すコマンド「テキスト・会議」を入力すると、情報処理装置１の入力情報受信部１１は、端末６から抽出条件「テキスト・会議」を示す情報を受信する。なお、テキスト抽出条件は、「テキスト・会議」のように１つの単語に限らず、「テキスト・会議および第１」や「テキスト・会議または来客」いったように、複数の単語を組み合わせてもよい。
【００４７】
日付抽出部１３は、抽出条件「テキスト・会議」に従って、スケジュール記憶部１２が１０月のカレンダーに記憶しているスケジュール情報を参照し、「会議」のテキストを含むスケジュール情報が対応付けられたカレンダーの日付を抽出する。ここでは、１０月１日、８日、１１日、１５日、２２日、２８日、２９日が抽出される。日付抽出部１３は、抽出した日付と該日付に対応付けられたスケジュール情報とを表示情報生成部１４に送る。表示情報生成部１４は、日付抽出部１３から受け取った「会議」のテキストを含むスケジュール情報が対応付けられたカレンダーの日付と、該スケジュール情報とを表示する表示情報を生成し、表示情報送信部１５に送る。表示情報送信部１５は、表示情報生成部１４から受け取った表示情報を端末６に送信する。端末６は、受信した表示情報を表示する。
【００４８】
このように、ユーザが所定のテキストを含むスケジュール情報を探したいと思った場合、所定のテキストを含むスケジュール情報が対応付けられた日付をまとめて参照することができ、容易に探すことができる。
【００４９】
図４〜図６の例では、日付抽出部１３が抽出した日付の欄に、該日付に対応付けられたスケジュール情報に含まれるすべての情報を表示しているが、日付抽出部１３が抽出した日付の欄に、該日付に対応付けられたスケジュール情報に含まれる時間帯情報の開始時刻と種類情報のみを表示してもよい。
【００５０】
図７は、実施の形態１に係るスケジュール情報が対応付けられていない日付を抽出した表示例を示す図である。図７は、図２に示す１０月のカレンダーのスケジュール情報を記憶していない日付のみを抽出してまとめて表示した表示情報の例である。
【００５１】
ユーザが端末６に抽出条件として、たとえばスケジュール情報が対応付けられていない日付を抽出する条件を示すコマンド「空きスケジュール」を入力すると、情報処理装置１の入力情報受信部１１は、端末６から抽出条件「空きスケジュール」を示す情報を受信する。日付抽出部１３は、抽出条件「空きスケジュール」に従って、スケジュール記憶部１２記憶している１０月のカレンダーを参照し、スケジュール情報が対応付けられていない日付を抽出する。ここでは、１０月７日、１３日、１６日、１８日、２７日が抽出される。日付抽出部１３は、抽出した日付を表示情報生成部１４に送る。表示情報生成部１４は、日付抽出部１３から受け取った日付を表示する表示情報を生成し、表示情報送信部１５に送る。表示情報送信部１５は、表示情報生成部１４から受け取った表示情報を端末６に送信する。端末６は、受信した表示情報を表示する。
【００５２】
このように、ユーザがスケジュールがない日に予定を入れたいと思った場合、スケジュール情報が対応付けられていない日付をまとめて参照することができ、容易に把握することができる。
【００５３】
図８は、実施の形態１に係る所定の時間帯と重複するスケジュール情報が対応付けられていない日付を抽出した表示例を示す図である。図８は、図２に示す１０月のカレンダーの１８：００〜２４：００の時間帯と重複する時間帯情報を含むスケジュール情報が対応付けられていない日付のみを抽出してまとめて表示した表示情報の例である。
【００５４】
ユーザが端末６に抽出条件として、たとえば１８：００〜２４：００の時間帯と重複するスケジュール情報が対応付けられていない日付を抽出する条件を示すコマンド「１８：００〜２４：００・空きスケジュール」を入力すると、情報処理装置１の入力情報受信部１１は、端末６から抽出条件「１８：００〜２４：００・空きスケジュール」を示す情報を受信する。日付抽出部１３は、抽出条件「１８：００〜２４：００・空きスケジュール」に従って、スケジュール記憶部１２が１０月のカレンダーに記憶しているスケジュール情報を参照し、１８：００〜２４：００の時間帯と重複する時間帯情報を含むスケジュール情報が対応付けられていない日付を抽出する。ここでは、１０月１日、３日、７日、１８日、２７日が抽出される。日付抽出部１３は、抽出した日付と該日付に対応付けられたスケジュール情報とを表示情報生成部１４に送る。表示情報生成部１４は、日付抽出部１３から受け取った日付と該日付に対応付けられたスケジュール情報とを表示する表示情報を生成し、表示情報送信部１５に送る。表示情報送信部１５は、表示情報生成部１４から受け取った表示情報を端末６に送信する。端末６は、受信した表示情報を表示する。
【００５５】
このように、ユーザが所定の時間帯にスケジュールがない日に予定を入れたいと思った場合、その時間帯と重複する時間帯情報を含むスケジュール情報を記憶していない日付をまとめて参照することができ、容易に把握することができる。
【００５６】
なお、日付抽出部１３が抽出した日付を表示する表示情報は、図４〜図８のように、当月１ヶ月分の抽出条件を満たす日付をまとめて表示するものに限らない。たとえば、数ヶ月分の抽出条件を満たす日付の一覧を表示してもよいし、開始日を指定して開始日から１ヶ月分の抽出条件を満たす日付の一覧を表示してもよい。
【００５７】
また、抽出条件を示すコマンドは１つに限らず、複数のコマンドを組み合わせてもよい。
【００５８】
図９は、実施の形態１に係るスケジュール抽出処理の動作の一例を示すフローチャートである。
【００５９】
まず、情報処理装置１の入力情報受信部１１は、ユーザが入力した抽出条件を端末６から受信する（ステップＳ１１）。日付抽出部１３は、スケジュール記憶部１２が記憶するカレンダーから抽出条件を満たす日付を抽出する（ステップＳ１２）。表示情報生成部１４は、日付抽出部１３が抽出した日付とその日付に記憶されているスケジュール情報とを表示する表示情報を生成する（ステップＳ１３）。表示情報送信部１５は、表示情報生成部１４が生成した表示情報を端末６に送信して（ステップＳ１４）、処理を終了する。
【００６０】
端末６は、受信した表示情報を表示し、ユーザに提示する。
【００６１】
以上説明したように、実施の形態１の情報処理システム１００によれば、スケジュール情報を日付に対応付けて記憶したカレンダーについて、所定の条件を満たす日付を抽出してまとめてユーザに提示できる。これにより、ユーザは容易にスケジュールの登録および参照ができる。
【００６２】
（実施の形態２）
実施の形態１では、ユーザは端末６を操作して、ネットワーク８を介して情報処理装置１にアクセスし、スケジュールの登録および参照を行った。実施の形態２では、情報処理装置１は、ＰＣやＰＤＡ、携帯電話などの端末で構成されており、ユーザは、情報処理装置１を直接操作して、スケジュールの登録および参照を行う。
【００６３】
図１０は、本発明の実施の形態２に係る情報処理装置１の構成例を示すブロック図である。実施の形態２の情報処理装置１には、実施の形態１の情報処理装置１の入力情報受信部１１に代えて入力部１６が、表示情報送信部１５に代えて表示部１７が追加されている。入力部１６は、キーボードおよびマウスなどのポインティングデバイスや、タッチパッドなどの接触センサなどで構成されており、ユーザの入力を受け付ける。表示部１７は、液晶ディスプレイなどで構成されており、表示情報生成部１４から受け取った表示情報を表示する。
【００６４】
図１１は、実施の形態２に係るスケジュール情報の１日表示の一例を示す図である。図１１（ａ）では、図３と同様に、カレンダーの各日付には、該日付に対応付けられたスケジュール情報に含まれる時間帯情報の開始時刻と種類情報とが表示されている。また、図１３の例では、入力部１６はタッチパッドであって、表示部１７の液晶パネルの上に配置され、合わせてタッチパネルとして機能する。
【００６５】
図１１（ａ）に示すように、ユーザが、カレンダーの日付を指でタップして選択すると、図１１（ｂ）に示すような選択した日付に記憶されている１日分のスケジュール情報を表示する画面に遷移する。たとえば、ユーザが１０月１１日をタップすると、「１３：００〜１５：００  来客  Ｃ株式会社  田中さん  第１応接室、１７：００〜１９：００  会議  第１会議室」という１０月１１日の１日分のスケジュール情報の時間帯情報、種類情報、相手情報および場所情報を表示する。なお、日付を選択する方法は、タッチパネルで日付をタップする方法だけでなく、キーボードやマウスなどのポインティングデバイスのカーソルで日付をクリックする方法でもよい。
【００６６】
このように、ユーザは、日付をタップまたはクリックなどの簡単な操作で、その日１日分のスケジュール情報の詳細を確認することができる。なお、日付を選択して、その日１日分のスケジュール情報を表示させる手法は、実施の形態１に適用してもよい。
【００６７】
図１２は、実施の形態２に係るスケジュール情報の付加表示の一例を示す図である。図１２の例では、図１１と同様に、カレンダーの各日付には、該日付に対応付けられたスケジュール情報に含まれる時間帯情報の開始時刻と種類情報とが表示されている。また、図１１と同様に、入力部１６はタッチパッドであって、表示部１７の液晶パネルの上に配置され、合わせてタッチパネルとして機能する。
【００６８】
ユーザが、カレンダーの日付を指でタッチして指し示すと、指し示した位置座標の近傍に該日付に記憶されているすべてのスケジュール情報が付加表示（図１２の例ではポップアップ表示）される。たとえば、ユーザが１０月１１日を指し示すと、「１３：００〜１５：００  来客  Ｃ株式会社  田中さん  第１応接室、１７：００〜１９：００  会議  第１会議室」という１０月１１日に記憶されたすべてのスケジュール情報の時間帯情報、種類情報、相手情報および場所情報がポップアップ表示される。
【００６９】
なお、日付を指し示す方法は、タッチパネルで日付をタッチする方法だけでなく、キーボードやマウスなどのポインティングデバイスでカーソルを日付のエリアに移動させる方法でもよい。あるいは、図１１で説明した日付を選択する方法を２回クリックまたは２回タップとし、図１２で説明した日付を指し示す方法は１回クリックまたは１回タップとしてもよい。また、日付に表示されている１つの時間帯情報の開始時刻と種類情報とをタッチすると、タッチされたスケジュール情報のみをポップアップ表示してもよい。
【００７０】
このように、ユーザは、日付をタッチまたはカーソル移動などの簡単な操作で、全体のスケジュールを参照したまま、その日のスケジュール情報の内容を確認することができる。なお、日付を指し示して、その日に記憶されているスケジュール情報の内容をポップアップ表示する手法は、実施の形態１に適用してもよい。
【００７１】
図１３は、実施の形態２に係るスケジュール抽出処理の動作の一例を示すフローチャートである。
【００７２】
まず、情報処理装置１の入力部１６は、ユーザの抽出条件の入力を受け付ける（ステップＳ２１）。日付抽出部１３は、スケジュール記憶部１２が記憶するカレンダーから抽出条件を満たす日付を抽出する（ステップＳ２２）。表示情報生成部１４は、日付抽出部１３が抽出した日付とその日付に記憶されているスケジュール情報とを表示する表示情報を生成する（ステップＳ２３）。表示部１７は、表示情報生成部１４が生成した表示情報を表示して（ステップＳ２４）、処理を終了する。
【００７３】
端末６は、受信した表示情報を表示し、ユーザに提示する。
【００７４】
以上説明したように、実施の形態２の情報処理装置１によれば、スケジュール情報を日付に対応付けて記憶したカレンダーについて、所定の条件を満たす日付を抽出してまとめてユーザに提示できる。これにより、ユーザは容易にスケジュールの登録および参照ができる。
【００７５】
（実施の形態３）
図１４は、本発明の実施の形態３に係る情報処理システムの構成例を示すブロック図である。情報処理システム２００は、ネットワーク８で接続される情報処理装置１と端末７とで構成される。実施の形態３の情報処理装置１は、実施の形態２の情報処理装置１のスケジュール記憶部１２、日付抽出部１３および表示情報生成部１４に代えて、メール生成部２１、判定部２２、メールアドレス記憶部２３およびメール送信部２４を備える。なお、複数の端末７がネットワーク８に接続されている。
【００７６】
メール生成部２１は、入力部１６から受け取った入力情報に基づいて、電子メールを生成し表示部１７に送る。また、メール生成部２１は、判定部２２から受け取った宛先グループ情報が示す宛先のグループに含まれるメールアドレスをメールアドレス記憶部２３から読み出す。そして、メール生成部２１は、判定部２２から受け取ったＴｏ、ＣｃまたはＢｃｃのいずれかの欄に宛先のグループに含まれるメールアドレスを入力した電子メールをメール送信部２４に送る。
【００７７】
判定部２２は、あらかじめ、ユーザが宛先のグループを選択する際にクリック（またはタップ）した回数と、Ｔｏ、ＣｃおよびＢｃｃとを対応付けたデータテーブルを記憶している。判定部２２は、入力部１６から受け取った入力情報に基づいて、ユーザが宛先のグループを選択した際に何回クリック（またはタップ）したかを判定し、データテーブルを参照してＴｏ、ＣｃまたはＢｃｃのいずれかに設定する。判定部２２は、ユーザが入力した宛先のグループを示す宛先グループ情報と、Ｔｏ、ＣｃまたはＢｃｃの設定とをメール生成部２１に送る。
【００７８】
メールアドレス記憶部２３は、グループ分けされたメールアドレスを記憶している。
【００７９】
メール送信部２４は、メール生成部２１から受け取った電子メールを、宛先のグループに含まれるメールアドレスを有する端末７に送信する。
【００８０】
図１５は、実施の形態３に係る電子メールの一例を示す図である。図１５は、「鈴木」という名前のユーザ（以下、ユーザ（鈴木）と呼ぶ）が、「ｙａｍａｄａ＠ｘｘｘ．ｃｏ．ｊｐ」宛に作成した電子メールの例である。電子メールの本文の内容は、１０月１日の打ち合わせの時間と場所である。このとき、ユーザ（鈴木）は、１０月１日の打ち合わせに同行する「佐藤」、「田中」、「山本」、「渡辺」にもこの電子メールを送信する。ユーザ（鈴木）が電子メールに表示されている左上のアドレス帳ボタンをタッチ（またはクリック）すると、表示部１７は、図１６のようなアドレス帳の画面を表示する。
【００８１】
図１６は、実施の形態３に係るアドレス帳の表示例を示す図である。メールアドレス記憶部２３は、グループ別にメールアドレスを記憶している。このグループ別のメールアドレスは、ユーザが入力してもよいし、あらかじめ記憶していてもよい。図１６の例では、「佐藤」、「田中」、「山本」、「渡辺」の４名のそれぞれのメールアドレス「ｓａｔｏ＠＊＊＊．ｃｏ．ｊｐ」、「ｔａｎａｋａ＠＊＊＊．ｃｏ．ｊｐ」、「ｙａｍａｍｏｔｏ＠＊＊＊．ｃｏ．ｊｐ」、「ｗａｔａｎａｂｅ＠＊＊＊．ｃｏ．ｊｐ」がＡグループとして記憶されている。ユーザ（鈴木）は、Ａグループをタップ（またはクリック）して宛先のグループとして選択する。
【００８２】
ここでは、ユーザが宛先のグループを選択する際のタップ（またはクリック）は、１回でＴｏ、２回でＣｃ、３回でＢｃｃ、に対応付けられていることとする。図１６の例では、ユーザは３回タップし、Ｂｃｃに設定する。
【００８３】
図１７は、実施の形態３に係る宛先のグループのメールアドレスを入力した電子メールの一例を示す図である。図１７は、図１６でユーザ（鈴木）がアドレス帳のＡグループを３回タップした際の電子メールの表示例である。Ｂｃｃの欄にＡグループの「佐藤」、「田中」、「山本」、「渡辺」の４名のそれぞれのメールアドレス「ｓａｔｏ＠＊＊＊．ｃｏ．ｊｐ」、「ｔａｎａｋａ＠＊＊＊．ｃｏ．ｊｐ」、「ｙａｍａｍｏｔｏ＠＊＊＊．ｃｏ．ｊｐ」、「ｗａｔａｎａｂｅ＠＊＊＊．ｃｏ．ｊｐ」が入力されている。
【００８４】
メール送信部２４は、図１７に示す電子メールを「ｙａｍａｄａ＠ｘｘｘ．ｃｏ．ｊｐ」にＴｏで送信し、「ｓａｔｏ＠＊＊＊．ｃｏ．ｊｐ」、「ｔａｎａｋａ＠＊＊＊．ｃｏ．ｊｐ」、「ｙａｍａｍｏｔｏ＠＊＊＊．ｃｏ．ｊｐ」、「ｗａｔａｎａｂｅ＠＊＊＊．ｃｏ．ｊｐ」にＢｃｃで送信する。
【００８５】
なお、判定部２２が記憶している、ユーザが宛先のグループを選択する際にタップ（またはクリック）した回数と、Ｔｏ、ＣｃおよびＢｃｃとを対応付けたデータテーブルは、ユーザの使用頻度によって、対応付けを変更してもよい。たとえば、Ｂｃｃを最もよく使用する場合、タップ（またはクリック）した回数が１回のとき、Ｂｃｃに設定する。
【００８６】
図１８は、実施の形態３に係る宛先入力処理の動作の一例を示すフローチャートである。図１８の例では、ユーザが宛先のグループを選択する際のタップ（またはクリック）は、１回でＴｏ、２回でＣｃ、３回でＢｃｃ、に対応付けられていることとする。
【００８７】
まず、情報処理装置１の入力部１６は、ユーザによる宛先のグループの選択を受け付ける（ステップＳ３１）。メール生成部２１は、メールアドレス記憶部２３から該グループに含まれるメールアドレスを読み出す（ステップＳ３２）。判定部２２は、ユーザが宛先のグループを選択した際に何回クリック（またはタップ）したかを判定する。
【００８８】
クリック（またはタップ）が１回である場合（ステップＳ３３；ＹＥＳ）、メール生成部２１は、読み出したメールアドレスをＴｏの欄に入力する（ステップＳ３４）。クリック（またはタップ）が１回でなく（ステップＳ３３；ＮＯ）、クリック（またはタップ）が２回である場合（ステップＳ３５；ＹＥＳ）、メール生成部２１は、読み出したメールアドレスをＣｃの欄に入力する（ステップＳ３６）。クリック（またはタップ）が２回でない場合（ステップＳ３５；ＮＯ）、メール生成部２１は、読み出したメールアドレスをＢｃｃの欄に入力し（ステップＳ３７）、処理を終了する。このとき、４回以上のクリック（またはタップ）は無効とする。
【００８９】
ユーザが送信ボタン（図１５および図１７参照）をクリック（またはタップ）すると、メール生成部２１は、生成した電子メールをメール送信部２４に送る。メール送信部２４は、メール生成部２１から受け取った電子メールを入力されたメールアドレスを有する端末７に送信する。
【００９０】
なお、ステップＳ３６またはステップＳ３７で宛先のグループに含まれるメールアドレスをＣｃまたはＢｃｃに設定した場合、Ｔｏの欄にメールアドレスが入力されていない場合には、宛先のグループに含まれるメールアドレスのうち１つのメールアドレスをＴｏに設定し、その他のメールアドレスをＣｃまたはＢｃｃに設定してもよい。
【００９１】
以上説明したように、実施の形態３の情報処理１によれば、ユーザが電子メールに入力した宛先のグループに含まれるメールアドレスを容易に一括してＴｏ、Ｃｃ、Ｂｃｃのいずれかに設定できる。
【００９２】
なお、情報処理システム２００では、ユーザは情報処理装置１に直接電子メールの入力などを行った。ユーザ電子メールの入力などを行う端末６をネットワーク８を介して情報処理装置１に接続してもよい。この場合、実施の形態３の情報処理装置１の入力部１６に代えて入力情報受信部１１を、表示部１７に代えて表示情報送信部１５を備える。ユーザは端末６を操作して、ネットワーク８を介して情報処理装置１にアクセスし、電子メールの入力などを行う。
【００９３】
また、本発明の実施の形態１および実施の形態２と実施の形態３とを組み合わせて、ユーザのスケジュールを記憶したカレンダーについて、所定の条件を満たす日付を抽出してまとめてユーザに提示でき、かつ、ユーザの作成する電子メールについて、ユーザが入力した宛先のグループに含まれる各メールアドレスを容易に一括してＴｏ、Ｃｃ、Ｂｃｃのいずれかに設定できる情報処理装置１を構成してもよい。
【００９４】
図１９は、本発明に係る情報処理装置のハードウェア構成の一例を示す図である。情報処理装置１は、図５に示すように、制御部７１、主記憶部７２、外部記憶部７３、操作部７４、表示部７５および送受信部７６を備える。主記憶部７２、外部記憶部７３、操作部７４、表示部７５および送受信部７６はいずれも内部バス７０を介して制御部７１に接続されている。
【００９５】
制御部７１はＣＰＵ（Central Processing Unit）等から構成され、外部記憶部７３に記憶されている制御プログラム７９に従って、情報処理に係る処理を実行する。制御部７１は、日付抽出部１３、表示情報性西部１４、メール生成部２１および判定部２２として機能する。
【００９６】
主記憶部７２はＲＡＭ（Random-Access Memory）等から構成され、外部記憶部７３に記憶されている制御プログラム７９をロードし、制御部７１の作業領域として用いられる。
【００９７】
外部記憶部７３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、上述の処理を制御部７１に行わせるための制御プログラム７９を予め記憶する。また、制御部７１の指示に従って、この制御プログラム７９が記憶するデータを制御部７１に供給し、制御部７１から供給されたデータを記憶する。スケジュール記憶部１２およびメールアドレス記憶部２３は、外部記憶部７３に構成される。
【００９８】
操作部７４はキーボードおよびマウスなどのポインティングデバイスや、タッチパッドなどの接触センサと、これらを内部バス７０に接続するインタフェース装置から構成されている。ユーザが情報処理装置１を直接操作して、スケジュールの登録および参照を行う場合や、電子メールを作成する場合は、操作部７４を介して、指示が制御部７１に供給される。操作部７４は入力部１６として機能する。
【００９９】
表示部７５は、ＣＲＴ（Cathode Ray Tube）またはＬＣＤ（Liquid Crystal Display）などから構成され、制御部７１から供給された表示情報を表示する。表示部７５は、表示部１７として機能する。
【０１００】
送受信部７６は、ネットワークに接続する網終端装置または無線通信装置、およびそれらと接続するシリアルインタフェースまたはＬＡＮ（Local Area Network）インタフェースから構成されている。送受信部７６は、情報処理装置１と端末６または端末７とを、ネットワーク８を介して接続する。入力情報受信部１１、表示情報送信部１５およびメール送信部２４は、送受信部７６に構成される。
【０１０１】
図１、図１０および図１４に示す情報処理装置１の入力情報受信部１１、スケジュール記憶部１２、日付抽出部１３、表示情報生成部１４、表示情報送信部１５、入力部１６、表示部１７、メール生成部２１、判定部２２、メールアドレス記憶部２３およびメール送信部２４の処理は、制御プログラム７９が、制御部７１、主記憶部７２、外部記憶部７３、操作部７４、表示部７５、送受信部７６などを資源として用いて処理することによって実行する。
【０１０２】
その他、前記のハードウェア構成やフローチャートは一例であり、任意に変更および修正が可能である。
【０１０３】
制御部７１、主記憶部７２、外部記憶部７３、操作部７４、内部バス７０などから構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、該コンピュータプログラムをコンピュータにインストールすることにより、前記の処理を実行する情報処理装置１を構成してもよい。また、インターネット等の通信ネットワーク上のサーバが有する記憶装置に該コンピュータプログラムを格納しておき、通常のコンピュータシステムがダウンロード等することで情報処理装置１を構成してもよい。
【０１０４】
また、情報処理装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１０５】
また、搬送波にコンピュータプログラムを重畳し、通信ネットワークを介して配信することも可能である。たとえば、通信ネットワーク上の掲示板(BBS：Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【０１０６】
１  情報処理装置
６  端末
７  端末
８  ネットワーク
１１  入力情報受信部
１２  スケジュール記憶部
１３  日付抽出部
１４  表示情報生成部
１５  表示情報送信部
１６  入力部
１７  表示部
２１  メール生成部
２２  判定部
２３  メールアドレス記憶部
２４  メール送信部
７１  制御部
７２  主記憶部
７３  外部記憶部
７４  操作部
７５  表示部
７６  送受信部
７９  制御プログラム
１００、２００  情報処理システム
【図１】
2015181006.tif 000003
【図２】
2015181006.tif 000004
【図３】
2015181006.tif 000005
【図４】
2015181006.tif 000006
【図５】
2015181006.tif 000007
【図６】
2015181006.tif 000008
【図７】
2015181006.tif 000009
【図８】
2015181006.tif 000010
【図９】
2015181006.tif 000011
【図１０】
2015181006.tif 000012
【図１１】
2015181006.tif 000013
【図１２】
2015181006.tif 000014
【図１３】
2015181006.tif 000015
【図１４】
2015181006.tif 000016
【図１５】
2015181006.tif 000017
【図１６】
2015181006.tif 000018
【図１７】
2015181006.tif 000019
【図１８】
2015181006.tif 000020
【図１９】
2015181006.tif 000021